(57)【特許請求の範囲】
【請求項１】
河川及び海岸に沿って土地基盤を強化し、貯水堤防成型後は貯水機能を有する強度の高い高圧コンクリート構造体で、中空で２方向に開口した方形で筒状の貯水ブロックを複数列並べ、前記貯水ブロックの列と、次の貯水ブロックの列を連結装置で結合して列と列の間に鉄骨を組み立て、鉄骨を中心に前記貯水ブロックをコンクリート型枠として使用し、鉄骨を中心に前記貯水ブロックの列と列の間に生コンクリートを流し込みブロック構造体とし、厚みがあって耐重量支持機能を有する強大な支持隔壁と成し、前記貯水ブロック構造体を必要な高さまで複数段積み上げ、堤防外側と堤防内側に外壁コンクリートパネルブロックを設置して、前記貯水ブロックと前記外壁コンクリートパネルブロックを連結して、これを成型枠として用い、前記貯水ブロックと前記外壁パネルブロックの間に鉄骨を中心に生コンクリートを流し込んで強力な外壁構造体を成型固定し、工法が簡便で、工期が短く、堅牢であり、外観が長城型、堤防斜面型、波浪の力を逸らす反り返し型の各種形状のいずれか一つを有することを特徴とするブロック構造体貯水堤防。
【請求項２】
請求項１において、堤防内部に貯水する水は、貯水浄化施設で浄化された水であり、該浄化施設は、地下水を採取する手段と、
逆浸透膜による水の加圧逆浸透膜濾過施設を用い塩類を含まない脱塩水とする手段と、
粗砕蛇紋岩、粗砕輝緑岩、粗砕珊瑚、粗砕石灰岩及びカリ長石の混合物を充填した濾過槽を通過させて人体に過剰とならない微量溶出する有用なカルシウム、マグネシウム、カリウム及び微量要素を適量含むミネラル水となす手段と、
微細気泡のナノバブル処理を加えて腐敗性がなく且つ生物機能活性の高い用水に加工する手段と、
を合わせ有することを特徴とするブロック構造体貯水堤防。
【請求項３】
請求項１のブロック構造体貯水堤防において、ブロック構造体で形成する通水路の一部を、送電線施設、電話線施設、光ケーブル等の、ライフラインに共用することを特徴とするブロック構造体貯水堤防。
【請求項４】
請求項１又は、請求項２又は、請求項３のブロック構造体貯水堤防の建設工法として、
（１）河川及び海岸に沿って土地基盤を強化する工程と、
（２）強化した基盤上に中空で２方向に開口した方形筒状の貯水ブロックを型枠として兼用して各貯水ブロックの列間にコンクリートで固定する空間を開けて複数列設置する工程と、
（３）貯水ブロックと貯水ブロック間に鉄骨骨格と鉄筋を組み立てる工程と、
（４）鉄骨と鉄筋を中心に貯水ブロックとの貯水ブロックの間へ生コンクリートを振動を加えて流し込む工程と、
（５）最外側の貯水ブロック構造体の外側に空間を開けて外壁パネルブロックを設置する工程と、
（６）貯水ブロック体と外壁パネルブロックの間に鉄骨骨格と鉄筋を組み立てる工程と、
（７）貯水ブロックと外壁パネルブロックの間へ生コンクリートを振動を加えて流し込む外壁パネルブロック構造体成型工程と、
（８）１段目の貯水ブロック構造体群の列及び外壁パネルブロック構造体設置の工程と養生が終了した段階で２段目の設置に先立ち縦方向の鉄骨と鉄筋連結した平面の横方向の鉄骨と鉄筋を設置する工程と、
（９）平面の鉄骨と鉄筋へ生コンクリートを振動を加えて流し込む工程と、
（１０）平面の生コンクリートを流し込んだ上へ、コンクリートが柔らかい内に２段目の貯水ブロックを１段目と同様列間に支持隔壁の空間を開けて数列設置して固定する工程と、
（１１）２段目の貯水ブロックと貯水ブロックの間に１段目の鉄骨骨格・鉄筋と平面の鉄骨・鉄筋と連結して鉄骨骨格・鉄筋を組み立てる工程と、
（１２）２段目の最外側の貯水ブロックの外側に空間を開けて外壁パネルブロックを設置して１段目の鉄骨骨格・鉄筋と平面の鉄骨・鉄筋と連結して鉄骨骨格・鉄筋を組み立てる工程と、
（１３）２段目の貯水ブロックと貯水ブロック又は貯水ブロックと外壁パネルブロックの間に鉄骨骨格を中心に生コンクリートを流し込む工程と、
（１４）２段目の貯水ブロック構造体群の列及び外壁設置の工程と養生が終了した段階で、３段目の工程を前記（８）から（１３）の工程を繰り返し、
（１５）更に３段目の工程が終了したら再度前記（８）から（１３）の工程を繰り返し、これを堤防が必要な高さになるまで建設し、
貯水ブロック構造体の設置工程と外壁ブロック構造体の建造に際し、各ブロックを堤防全体の成型枠として活用するコンクリート養生固定の工程を有すること特徴とするブロック構造体貯水堤防のプレハブ工法。
【請求項５】
前記貯水ブロックは、２方向が正方形又は、長方形に開口する中空の筒状のブロック枠で、高さ２．５〜５．０ｍ、幅２．５〜５．０ｍ、奥行２．５〜５．０ｍの立方体又は長方体の鉄筋コンクリート製で、水の貯水及び通水に用い、
セメント及び砂利の間に、ガラスウール・針状鉄芯・糊材を素材に練り込み、型枠の中で締め付け成型を行い、脱水養生した強度の高い、コンクリートであることを特徴とする請求項１記載のブロック構造体貯水堤防。
【請求項６】
前記貯水ブロックのうち、河川の屈曲位置に当たるブロックは、上面及び底面が平行の台形を形成し、２方向が正方形又は、長方形に開口する中空の筒状の枠であることを特徴とする請求項１記載のブロック構造体貯水堤防。
【請求項７】
前記外壁コンクリーとパネルブロックは、
側面から見た形状が、直立パネル構造又は、
通常の堤防斜面型の斜面を形成する傾斜パネル構造又は、
津波エネルギーや波浪エネルギーをベクトル変換によって減衰させる機能を持たせる目的の反り返しパネル構造のいずれかであり、
反り返しパネル構造の外壁ブロックは、下から支える脚を有することを特徴とする請求項１記載のブロック構造体貯水堤防。
【請求項８】
前記外壁コンクリートパネルブロックのうち、河川の屈曲位置に当たるブロックは、
上面及び底面が平行の台形を形成していることを特徴とする請求項７記載のブロック構造体貯水堤防。
【発明の詳細な説明】
【技術分野】
【０００１】  本発明は、ブロック構造体による貯水堤防とプレハブ工法に関する。
【技術の背景】
【０００２】  近年、地球の温暖化により、気候の変動が甚だしく、長期の集中豪雨、台風・ハリケーンの規模が大きくなり、その発生回数も世界的に増大している。
又、スマトラ沖地震、東日本大震災に見られるように、巨大津波の発生を目の当たりにし、その凄まじさを経験している。
このような巨大津波や大洪水の頻発の一方で、干ばつや砂漠化の進行に伴い、水資源の確保が各国で最重要の課題ともなっている。
特に水資源の確保は、ダムの建設に頼っている場面が多く、ダム湖では、漏水や水の蒸発散によるロスも多く、アオコの発生や水の腐敗も大きな問題である。
乾燥地域の沿岸や砂漠では、淡水の確保が困難である。その解消法として逆浸透膜による純水の製造が２０数年前から実用化され、その水質改良に多くの技術開発が行われている。しかし、純水の飲用は健康維持上は好ましいものではない。適量のミネラルを含むミネラル水とすることが望ましい。
また、貯水中の水は、淀ませると水が腐り易い欠点がある。これを防ぐには、水を流動させることと、適当な酸素を供給することが重要であり、これには、微細な気泡ナノバブルの生成が効果的であり、大量の水に対する微細気泡の供給技術が必要である。
【背景技術】
【０００３】  貯水堤防については、先に本発明者が「耐震貯水堤防とその設置工法」として出願し、特許第４９７２７５４号として認定されている。
貯水堤防に貯蔵する水は、通常地下水であるが、砂漠地帯、海岸地帯では塩水が含まれ飲料水として適さない、そこで、先行する特許と本出願の相違を検討した。【０００４】  特許文献１は、名称が、耐震貯水堤防である。貯水堤防を建設するに当たり、通常の鉄筋コンクリート建造物の工法と同様、コンクリート型枠を用い、生コンクリートを流し込む工法で建造される。
本発明では、予め強度が高くて大きな貯水ブロックと外壁パネルブロックを製造して、これらを積み上げ、貯水ブロック、外壁パネルブロックをコンクリートの型枠としてブロック構造体を形成するので、文献１とは基本的に相違する。【０００５】  特許文献２、名称は、溶液の還元処理方法及び酸化処理方法並びに自動酸化還元装置である。本発明者が微細気泡ナノバブルにより溶液の酸化処理及び還元処理を極めて迅速に大量の水を処理する方法と装置を開発したものである。本発明ではこれを用いて、貯水の腐敗防止と水の生物活性機能の向上を図る。【０００６】  特許文献３、名称は、水処理方法および水処理装置である。原水を固液分離した後、逆浸透膜を用いたモジュールとイオン交換による水の軟化、活性炭、オゾン処理、紫外線処理、過酸化水素水処理等を含む有機物除去技術によって行うことを特徴とする造水方法である。これは純水と同様ミネラルを含まない水で、当発明のカルシウム、マグネシウム、微量要素を含むミネラル水を貯蔵する技術ではない。【０００７】  特許文献４、名称は、水処理装置および水処理方法である。逆浸透膜で水を濾過するに先立ち、微細な気泡で膜の目詰りを防止する技術を提供し、長期高透過流束を維持する技術である。これも純水の供給である。【０００８】  特許文献５、名称は、純水又は超純水の製造方法および装置である。被処理水を、活性炭繊維を内蔵したカートリッジフィルターに通水して、脱塩処理した後、ＲＯ膜分離処理して純水ないし超純水を製造するに当たり、活性炭繊維内蔵フィルター内での微生物繁殖を抑制し、長期安定運転を可能とする技術である。これも純水製造の一端である。【０００９】  特許文献６、名称は、ＳｉＯ２含有排水の処理方法である。ＳｉＯ２を含有する地下水及び廃水を従来より低コストで処理する技術で、アルミニウム化合物と硫酸を添加し、ｐＨを３．８〜４．８に数分間維持し、ＳｉＯ２粒子を粒径数〜数十μｍに凝集させ、次に、アルカリ剤を添加し、ｐＨ６〜８に調整した後、高分子凝集剤を添加して凝集沈澱させて分離し、分離液をＲＯ膜分離してＳｉＯ２を除去する。【００１０】  特許文献７、名称は、純水の製造方法である。原水に酸を添加して脱気処理して得られたｐＨ５〜７の水を１段目の逆浸透膜分離処理して主にカチオン成分を除去し、次いで必要に応じアルカリを添加してｐＨ６．５〜８として２段目の負荷電の逆浸透膜分離処理を行い、更に低塩類濃度域における塩類阻止率の高い３段目の正荷電膜である逆浸透膜で分離し、純水を製造する方法である。【００１１】  特許文献８、名称は、水質改良器である。ミネラル水化が確実にかつ安定して溶出される浄水が得られると共に、該ミネラル分の濃度が安定して得られる容器である。ミネラルの資材としては硫酸カルシウム、乳酸カルシウム、珊瑚化石、麦飯石、医王石、ゼオライト等が用いられている。溶出規模が小さい容器であるので、溶出速度の大きな硫酸カルシウム、乳酸カルシウムが使用されている。本件発明では、対称が巨大な堤防水槽でもあり、高濃度のミネラル水は人体の結石の原因となるので、カルシウム、マグネシウム、微量成分の溶出速度の遅い、粗砕石灰石、粗砕珊瑚、粗砕蛇紋岩、粗砕輝緑石及びカリ長石��を使用している。健康に良いミネラル水はミネラル分の濃度が高過ぎないことが重要であり、微量の溶出で成分の高濃度の溶出を抑制することと、カルシウムとマグネシウム、カリウム及び微量要素とのバランスを重視した資材によるミネラル水化であるので、本件出願と特許文献８は相違する。【００１２】  特許文献８、名称は、水中のほう素の除去装置およびその方法である。
被処理水中に溶存する二価以上の陽イオンを除去するための手段と、二価以上の陽イオンを除去した水のｐＨを９以上に調整するための手段と、ほう素を除去するための逆浸透膜分離装置を備えていることを特徴とするほう素の除去装置による技術である。製造される飲料水はほぼ純水である。【００１３】
【特許文献１】  特許公開２０１０−１１２１６３
【特許文献２】  特許公開２００４−３４４８５９
【特許文献３】  特許公開２００３−１５４３６２
【特許文献４】  特許公開２００５−２３０７７５
【特許文献５】  特許公開２００７−３２６０２９
【特許文献６】  特許公開平１０−３４１６１
【特許文献７】  特許公開平１０−２０２２５９
【特許文献８】  特許公開平９−２２０５８１
【特許文献９】  特許公開平９−２９０２７５
【発明の開示】
【発明が解決しようとする課題】
【００１４】  国内でも、台風の襲来や局地的な集中豪雨の発生が予測され、東海、東南海、南海地震の災害が起こる確率が極めて高いことも予測されている。
従って、洪水、津波が何時発生するか判らない状態が続いている。これに対応するに当たっては、建造途中でも堤防機能を有する工法が必要であり、工期の短縮とコンクリート構造物の堅牢さの向上と堤防寿命の耐久性向上が課題である。
【課題を解決するための手段】
【００１５】  近年は、気候の変動、地下活動の活発化に伴い、洪水、津波等の災害が地球の各所で頻発している。
堤防の建設には長期間の工事を要し、その間にも巨大な台風、洪水、津波等の災害が襲って来る。従って、建設工事の途中でも災害が発生すれば、堤防の役割を果たすことを可能とする施工方法が必要である。
貯水機能を有する堤防で、建造途中でも堤防機能を有するためには、別の所で貯水ブロック構造体の部材を作製して、これを組み立て設置すれば工事中でも堤防機能の一部を代行できるプレハブ工法が適している。
また、設置したプレハブ資材の各部材の接合と強度を完璧なものにするには、木組工法を応用した各部材の固定とプレハブ資材をコンクリート隔壁形成の成型資材として活用する工法等のハイブリット化が必要である。
本発明では、これに対応して貯水ブロックと外壁パネルブロックを予め用意し、これらを成型し堤防内部の貯水ブロック構造体と外壁の外壁構造体と成し、体堤防基礎の迅速化と組み合わせて、工事の途中でも堤防機能を有する貯水堤防とその工法を提案した。【００１６】＜堤防基盤の造成＞
堤防基盤は、図１、図２、図３、図４に示すように、河川、海岸の外側に矢板を打ち込み、貯水堤防外側地下部浸水防護壁を設け、内陸の内側にも矢板を打ち込み貯水堤防の内側に地下部浸水防護壁を設置し、堤防地下の地盤安定化作業を行う。
堤防地盤の安定には、コンクリートのパイルを地下の堅い地層まで複数打ち込み、パイル上部に地震振動があってもコンクリート接触面が破損しないように、パイルキャップを設置し、上に免震パネルを載せる構造である。
免震パネル設置に先立ち、堤防地下土層に深層固化処理材を打ち込み土層を固定化すると共に、地表面に栗石を設置して、その上に１次コンクリート基盤を設置し、上に免震パネルを設置して、その上に堤防基盤を設置する。
国内に於いて、強い地震に対する免震基盤を必要とする場合は、本発明者の発明による免震堤防である「特許第４９７２７５４号」の技術を使用する。【００１７】＜長城型ブロック構造体貯水堤防＞
図１に示すように、長城型ブロック構造体貯水堤防の横断面は中空で２方向に開口した長方形の筒状の貯水ブロック１−１（図５〜図１４を参照）を堤防基盤上に積み上げて、貯水ブロック１−１と貯水ブロック１−１とを結束する装置のコネクター３（細部は図２２を参照）で繋ぎ、貯水ブロック１−１と貯水ブロック１−１の間に、コンクリートの骨材になる鉄骨を組み、貯水ブロック１−１を型枠として、間に生コンクリートを流し込み、堤防内部のコンクリート隔壁を形成する。
この隔壁は、堤防上部の重量を支える強力な支持隔壁としても機能する。
外壁部分は貯水ブロック１−１と外壁パネルブロック２−１とを結束する装置のコネクター３で繋ぎ、貯水ブロック１−１と外壁パネルブロック２−１の間にコンクリートの骨材になる鉄骨を組み、貯水ブロック１−１と外壁パネルブロック２−１を型枠として、間に生コンクリートを流し込み、コンクリート外壁を形成し、ブロック構造体とする。天頂部分は、貯水堤防天頂盤５を設置する。
ブロック構造体の配列数、ブロック構造体積み上げによる高さ及びコンクリート隔壁厚さは、河川の大きさ、洪水発生時の水位の高さ、激流や津波の襲来の勢い（水圧及び破壊力）等を勘案して基本設計を立てる。【００１８】＜反り返し型ブロック構造体貯水堤防＞
津波、大洪水のように、側面から強い衝撃を受ける地域の防災を主眼とした堤防構造で、「武者返」と呼ばれる「反り返し」部分を有し、曲線で衝撃のベクトルを変換して、エネルギーをそらす機能を有する。
図２に示すように、反り返し型ブロック構造体貯水堤防の横断面は中空で２方向に開口した長方形の筒状の貯水ブロック１−１（図５〜図１４を参照）を堤防基盤上に積み上げて、貯水ブロック１−１と貯水ブロック１−１とを結束する装置のコネクター３（細部は図２２を参照）で繋ぎ、貯水ブロック１−１と貯水ブロック１−１の間に、コンクリートの骨材になる鉄骨を組み、貯水ブロック１−１を型枠として、間に生コンクリートを流し込み、堤防内部のコンクリート隔壁のブロック構造体を形成する。
外壁部分の基底は、基部調整ブロック１−２を貯水ブロック１−１と並べて設置し、基部調整ブロック１−２と貯水ブロック１−１を結束する装置のコネクター３（細部は図２２を参照）で繋ぎ、間にコンクリートの骨材になる鉄骨を組み、生コンクリートを流し込み、外壁基部内側のブロック構造体を形成する。
基部調整ブロック１−２は、上部反り返し外壁パネルブロック２−２を載せる台としての機能と通水道としての機能を有する。
基部調整ブロック１−２は、一方を貯水ブロック１−１と一方を下部反り返し外壁パネルブロック２−３と連結し、外壁基部ブロック構造体を形成する。
上部反り返し外壁パネルブロック２−２は、基部調整ブロック１−２の上に設置し、上部の貯水ブロック１−１と外壁パネルブロック２−２との結束は、結束装置３で繋ぎ、間にコンクリートの骨材になる鉄骨を組み立て、生コンクリートを流し込み、外壁中間部の外壁ブロック構造体を形成する。
貯水ブロック１−１と上部の垂直外壁パネルブロック２−１との結束は、結束装置３で繋ぎ、間にコンクリートの骨材になる鉄骨を組み生コンクリートを流し込み、上部外壁ブロック構造体を形成する。天頂部分は、貯水堤防天頂盤５を設置する。【００１９】＜堤防型ブロック構造体貯水堤防＞
堤防型貯水ブロック堤防は、人が河原や海浜に降りたり、上ったりする事を可能にする構造で、用途に合わせ斜面角度の相違する斜面ブロックを用意する。
本項では、最も傾斜度の大きな急傾斜堤防型堤防型ブロック構造体貯水堤防として、傾斜度４５度の傾斜を有する構造を示した。
図３に示すように、堤防型ブロック構造体貯水堤防の横断面は、下方の基部に近い部分は、幅広く基盤整備を行い、中央部を中空で２方向に開口した、長方形の筒状の貯水ブロック１−１（図５〜図１４を参照）を配置し、周辺に正方形の筒状の貯水ブロック１−３を配置して、堤防基盤上に積み上げる。
貯水ブロック１−１と貯水ブロック１−１及び、貯水ブロック１−３を結束装置のコネクター３で繋ぎ、貯水ブロック１−１と貯水ブロック１−１及び、貯水ブロック１−３の間に、コンクリートの骨材になる鉄骨を組み、貯水ブロック１−１及び１−３を型枠として、間に生コンクリートを流し込み、堤防内部のコンクリート隔壁のブロック構造体を形成する。
周辺の方形の貯水ブロック１−３は、その外部に傾斜角を有する直角三角形を有する傾斜貯水ブロック１−４とを結束装置のコネクター３で繋ぎ、間にコンクリートの骨材になる鉄骨を組み、生コンクリートを流し込んで傾斜面を形成する。
外壁パネルブロックはこの斜面上にコネクター３で固定し、外壁ブロック構造体を形成する。
堤防型ブロック構造体貯水堤防は、多くのブロック構造体を並列的に並べるので、隔壁が多く、水害の衝撃を多くのブロック構造体の横の配列数でエネルギーを吸収する。
堤防の天頂部分には、貯水堤防ブロック天頂盤５を設置する。【００２０】＜緩傾斜堤防型ブロック構造体貯水堤防＞
図４には、緩傾斜植生自然歩道付き堤防型ブロック構造体貯水堤防の横断面図を示した。緩傾斜植生自然歩道付き堤防型貯水ブロック堤防は基本原理は図３の堤防型貯水ブロック堤防と同じであるが、傾斜を３０度以下の緩傾斜を成し、堤防幅が横に拡大されるので、その分だけ堤防強度は高まる。
付属する施設として、植生のできる外壁構造の形成や、花き、芝、植樹できる構造体２−５や水中では、魚や水生生物の繁殖外壁構造体２−５を有する。
自然遊歩道の設置も可能で、堤防の形状を選択的に変更できる。【００２１】＜堤防用ブロック＞
堤防のブロック構造体を構成する貯水ブロック、外壁パネルブロックは、セメント・砂利・ガラスウール・針状鉄芯・糊材を素材に還元処理水を用いて練り込み、プレス加工して、強化する。
図５〜図１４には、堤防ブロック構造体の貯水ブロックの形状を示した。
図５〜図９は、シンプルな構造の貯水ブロックであり、図１０〜図１４は、木組み工法によるコンクリートの結着性を高める凹凸のある組み合わせ型貯水ブロックである。
図１５は天頂設置盤を示し、図１６〜図１９には外壁パネルブロックを示した。【００２２】＜貯水ブロック＞
図５はシンプルな構造の貯水ブロックの俯瞰図を示した。
構造は、幅２〜６ｍ、奥行き２〜４ｍ、高さ２〜４ｍの、長方形又は正方形の
0005234475.tif 000002
水ブロック構造体を結束する装置のコネクター３を通す小孔である。
図６は、貯水ブロック正面図及び背面図を示した。幅は２〜６ｍ、高さは
0005234475.tif 000003
している。
図７は、貯水ブロックの左右両側面を示した。奥行きは２〜３ｍ、高さは
0005234475.tif 000004
図８は、貯水ブロックを上からの平面図を示した。奥行きは２〜３ｍ、幅
0005234475.tif 000005
出口側を示している。
図９は、貯水ブロックの下からの底面図を示した。奥行きは２〜３ｍ、幅
0005234475.tif 000006
出口側を示している。
図１０〜図１４には、滑り止め構造を有する貯水のブロックを示した。
図１０は、滑り止めを有する貯水のブロックの俯瞰図を示した。
構造は、幅２〜６ｍ、奥行き２〜４ｍ、高さ２〜４ｍの、方形の筒状を形成
0005234475.tif 000007
け止められる。
図１１は正面図及び背面図を示した。幅は２〜６ｍ、高さは２〜４ｍで、内
0005234475.tif 000008
図１２は、貯水ブロックの左右両側面を示した。奥行きは２〜４ｍ、高さは
0005234475.tif 000009
図１３は、貯水ブロックの上からの平面図を示した。奥行きは２〜４ｍ、幅
0005234475.tif 000010
図１４は、貯水ブロックの下からの底面図を示した。奥行きは２〜４ｍ、幅
0005234475.tif 000011
【００２３】＜天頂設置板と垂直外壁パネルブロック＞
図１５には天頂設置板の前後面図を示した。天頂設置板５はこの上に道路その他の施設を設置する事ができるので、堅牢でなければならない。
図１６には垂直外壁の側断面と前後面を示した。
0005234475.tif 000012
ある。
貯水ブロックと垂直外壁ブロックを結束装置コネクター３で繋ぎ、間にコンクリートの骨材になる鉄骨を組み、ブロック構造体と垂直外壁を型枠として、間に生コンクリートを流し込み、堤防の外壁を形成する。【００２４】＜斜面外壁パネルブロック＞
図１７には堤防型ブロック構造体の外壁パネルブロック示した。
0005234475.tif 000013
ている。
0005234475.tif 000014
す小孔である。【００２５】＜反り返し外壁パネルブロック＞
図１８には反り返し堤防の上部反り返し外壁板を示した。
0005234475.tif 000015
下部を示している。
0005234475.tif 000016
コネクター３を通す小孔である。
貯水ブロックと上部反り返し外壁パネルブロックを結束装置コネクター３で繋ぎ、間にコンクリートの骨材になる鉄骨を組み、貯水ブロックと上部反り返し外壁パネルブロックを型枠として、間に生コンクリートを流し込み、堤防の上部反り返し外壁を形成する。
図１９には反り返し堤防の上部反り返し外壁パネルブロックを示した。
0005234475.tif 000017
下部を示している。
0005234475.tif 000018
ネクター３を通す小孔である。
貯水ブロックと下部反り返し外壁パネルブロックを結束装置コネクター３で繋ぎ、間にコンクリートの骨材になる鉄骨を組み、貯水ブロックと下部反り返し外壁パネルブロックを型枠として、間に生コンクリートを流し込み、堤防の下部反り返し外壁を形成する。【００２６】＜基部調整ブロック＞
図２０には基部調整ブロックを示した。
0005234475.tif 000019
ている。
0005234475.tif 000020
外壁ブロックの結束装置コネクター３接続の小孔である。
貯水ブロックと基部調整ブロックを結束装置コネクター３で繋ぎ、間にコンクリートの骨材になる鉄骨を組み、貯水ブロックと基部調整ブロックを型枠として、間に生コンクリートを流し込み、堤防の外壁を形成する。
また、基部調整ブロックと下部反り返し外壁板の間にコンクリートの骨材になる鉄骨を組み、ブロック構造体と基部調整ブロックを型枠として、間に生コンクリートを流し込み、堤防の外壁を形成する。
図２１には、貯水ブロックと貯水ブロック間、貯水ブロックと外壁パネルブロック間の鉄骨骨材と流し込んだコンクリート４−１を示している。
図２２は、貯水ブロックと貯水ブロック、貯水ブロックと外壁パネルブロック、貯水ブロックと基部調整ブロックを結束するコネクター３である。
２２−１は、コネクター３の位置表示。
２２−２は、コネクター３結束時の形状。
２３−３は、コネクターを分解した状態を示した。コネクターは２本の逆ネジ構造のボルトとナットを有する末端に突起を有する大きなネジ構造で、一方をブロック構造体の結着小孔を通過させ、一方をブロック構造又は、外壁ブロック又は、基部調整ブロックの結着小孔を通過させ、各ボルトをナットで小孔に固定させ、逆ネジになっているボルト末端を，内部に逆ネジを有するナットで引き寄せ固定する。これにより貯水ブロック、外壁パネルブロック、基部調整ブロックそれぞれが、コンクリートの型枠としての機能を果たすことができる。
図２３には、外壁ブロック内側の、スタンドとスタンドの間を埋めるコンクリート施工位置を示した。【００２７】＜防水隔壁＞
図２４には、貯水堤防基盤の地下土層両端に埋設する防水隔壁を示した。
防水隔壁は、堤防下地盤の液状化を防止するため、河川水及び周辺地下水の堤防下への流入を防止する重要な役割がある。
図２５には、貯水堤防基盤を示した。
貯水堤防基盤は堤防の重量を全て受け、重量の偏重を均平化する機能を有し、極めて堅牢でなければならない。【００２８】＜湾曲部分の変形ブロック＞
図２６〜図３１には、河川の屈曲部分に係る、ブロック構造体、外壁ブロック、及び基部調整ブロックの形状を示した。屈曲率は５度を想定し、屈曲の内側と外側では通水方向の奥行き（長さ）がそれぞれ相違している。
即ち、内側では短く、外側では長くなっている。屈曲率が高ければこれらのブロックを繰り返し使用する。
図２６は、屈曲内側の下部反り返し外壁ブロックの形状を示している。
２６−１は、下部反り返し外壁ブロックの上方から見た平面図である。記号は外壁部分２−３で表示している。
２６−２は、下部反り返し外壁ブロックの側面図である。記号は反り返し外壁部分２−３と外壁スタンドとスタンドの間を埋めるコンクリート施工位置４−２を表示した。
図２７は、屈曲内側の上部反り返し外壁ブロックの形状を示している。
２７−１は、上部反り返し外壁ブロックの上方から見た平面図である。
２７−２は、屈曲内側の上部反り返し外壁ブロックの側断面の形状を示している。
記号は、上から垂直外壁ブロック２−１、上部反り返し外壁ブロック２−２、基部調整ブロック１−２及び鉄骨骨材とコンクリート４−１の順に表示している。
図２８及び図２９は、屈曲部分に係る通水・貯水ブロック構造体の部分を示している。図２８は屈曲内側の貯水ブロックで図２９は屈曲外側の貯水ブロックである。
２８−１及び２９−１は、屈曲部の貯水ブロック１−１及を上から見下ろした
0005234475.tif 000021
２８−２及び２９−２は、貯水ブロック１−１の通洞の入り口側及び出口側から見た正面と裏面の断面図である。
図３０は、屈曲外側の上部反り返し外壁ブロックの形状を示している。
３０−１は、上部反り返し外壁ブロックの上方から見た平面図である。
３０−２は、屈曲外側の上部反り返し外壁ブロックの側断面の形状を示している。
記号は、上から垂直外壁ブロック２−１、上部反り返し外壁ブロック２−２、基部調整ブロック１−２及び鉄骨骨材とコンクリート４−１の順に表示している。
図３１は、屈曲外側の下部反り返し外壁ブロックの形状を示している。
３１−１は、下部反り返し外壁ブロックの上方から見た平面図である。記号は外壁部分２−３で表示している。
３１−２は、下部反り返し外壁ブロックの側面図である。記号は反り返し外壁部分２−３と外壁スタンドとスタンドの間を埋めるコンクリート施工位置４−２を表示した。【００２９】＜ブロック貯水堤防の貯水浄化施設＞
請求項２に対応して、堤防貯水の浄化施設を提案した。
図３２は、淡水の採取が困難な海岸地域、砂漠地帯において、淡水化、ミネラル水化する装置で、ブロック貯水堤防に貯水する水の浄化施設である。
採水手段は、長大な暗渠による減圧吸引で地下水を採取するが、塩類濃度が高いので除塩手段は、逆浸透膜を用い、加圧濾過して脱塩水を生成する。
脱塩水は人体からミネラルを奪うので健康に有害であるが、ミネラルの過剰も結石、腎炎の発症など有害であり、脱塩水を適度のカルシウム、マグネシウム、カリウム、微量要素を含むミネラル水とする手段が必要である。
そこで微量要素を含むミネラルの微量溶出が長期持続して起こる、粗砕蛇紋岩、粗砕輝緑岩、粗砕珊瑚又は、粗砕石灰岩及びカリ長石を混合したろ過層を通過させる手段により、人体に有用な、カルシウム、マグネシウム、カリウム及び微量要素を配合バランスが良く、塩類を適量含むミネラル水と成し、微弱なミネラル水とする。
更に、貯水中の停滞水は水垢等で腐敗するが、これを防ぐ方法として、水を流動させて酸素を多く含む水にする手段が必要がある。そこで、微細気泡ナノバブル連続噴射水流発生処理を行う。
微細気泡ナノバブルには、生物の成長促進、耐暑熱、耐低温等の生体の機能性を高める効果があり、ヘドロの発生抑制等環境浄化機能も高い。
すなわち、ナノバブル噴射手段によって、機能性の高いミネラル水を貯水堤防に蓄える。
図３２を説明すれば、
水の採取は、河川敷きの地下１３に埋設した長大な暗渠１５の一端に、水中ポンプを設置して、水を減圧状態で吸い上げ、水を強力加圧ポンプ１８で浄化槽１９へ送り、浄化槽１９の逆浸透膜を用いて脱塩水を生成する。
脱塩水は、破砕蛇紋岩、破砕輝緑岩、粗砕珊瑚又は、粗砕石灰岩の混合物を詰めたろ過層を通過させるミネラル溶化槽２０へ送り、水へカルシウム、マグネシウム、カリウム及び微量要素等のミネラルを健康を増進する程度に微量含ませて、ナノバブル処理装置２１へ送り、ナノバブル処理を行う。
ナノバブル処理は水に生物活性機能を与え、水の腐敗を防止する為に行う。
ナノバブル処理した水はブロック貯水堤防に送水２２する。
即ち、ブロック貯水堤防に貯水する水は、ナノバブルミネラル水である。
【産業上利用の可能性】
【００３０】  ブロック貯水堤防は、建造中も堤防機能の一部を成すことができ、工事期間も短くて済む特徴があるため、災害防止には効果的である。
特に、高く貯水ブロックを積み上げることができるので、津波や大洪水に対しても短期間で対応することが可能である。
また、地下水の採水に際して、塩分その他の成分の混入がある場合は、逆浸透膜を用い、脱塩水を生成し、破砕した蛇紋岩、輝緑岩、珊瑚又は、石灰岩で有用なミネラル水を供給することが可能であるので、干ばつ地域、砂漠地帯においても防災と健康な水の供給を同時に解決することが可能である。
このような理由から、今後逼迫する地球規模の水の需要に十分対応することができる技術である。
【図面の簡単な説明】
【００３１】
【図１】  長城型貯水ブロック堤防
【図２】  反り返し型貯水ブロック堤防
【図３】  堤防型貯水ブロック堤防
【図４】  緩傾斜植生自然歩道付き堤防型貯水ブロック堤防
【図５】  標準型貯水ブロックの俯瞰図
【図６】  標準型標準型貯水ブロックの前面及び背面図
【図７】  標準型標準型貯水ブロックの両側面図
【図８】  標準型標準型貯水ブロックの上面図
【図９】  標準型貯水ブロックの底面図
【図１０】  組み合わせ型貯水ブロックの俯瞰図
【図１１】  組み合わせ型貯水ブロックの前面及び背面図
【図１２】  組み合わせ型貯水ブロックの両側面図
【図１３】  組み合わせ型貯水ブロックの上面図
【図１４】  組み合わせ貯水ブロック下面図
【図１５】  頂点設置盤の前・後面図
【図１６】  １６−１  上部垂直外壁板前・後面図  １６−２  上部垂直外壁板内面図
【図１７】  １７−１  堤防型斜面外壁板前・後面図  １７−２  堤防型斜面外壁板内面図
【図１８】  １８−１  上部反り返し外壁パネルブロック前・後面図  １８−２  上部反り返し外壁パネルブロック内側面図
【図１９】  １９−１  下部反り返し外壁パネルブロック前・後面図  １９−２  下部反り返し外壁パネルブロック内側面図
【図２０】  ２０−１  基部調整ブロック前・後面図  ２０−２  基部調整ブロック側面図
【図２１】  ブロック間、ブロックと外壁間に設置する鉄筋コンクリート
【図２２】  ２２−１  ブロック間、ブロックと外壁間を結束するコネクター  ２２−２  コネクターの結束時の形状拡大図  ２２−３  コネクターの分解図拡大図
【図２３】  反り返し外壁板内面の窪部へのコンクリート充填部
【図２４】  堤防地下保護隔壁板
【図２５】  堤防基盤
【図２６】  ２６−１  河川屈曲位置円周内側の下部外壁平面図  ２６−２  河川屈曲内側の下部外壁前後の側面図
【図２７】  ２７−１  河川屈曲位置円周内側の上部外壁平面図  ２７−２  河川屈曲内側の上部外壁前後の側面図
【図２８】  ２８−１  河川屈曲の堤防ブロック平面図  ２８−２  河川屈曲内側の堤防ブロック前後の側面図
【図２９】  ２９−１  河川屈曲位置円周外側の堤防ブロック平面図  ２９−２  河川屈曲外側の堤防ブロック前後の側面図
【図３０】  ３０−１  河川屈曲位置円周外側の上部外壁平面図  ３０−２  河川屈曲外側の上部外壁前後の側面図
【図３１】  ３１−１  河川屈曲位置円周外側の下部外壁平面図  ３１−２  河川屈曲外側の下部外壁前後の側面図
【図３２】  貯水用水の採水浄化調整システム
【記号の説明】
１−１    貯水ブロック
１−２    反り返し型貯水堤防の基部調整ブロック（下部通水ブロック）
１−３    堤防型貯水堤防の側部傾斜位置の貯水ブロック
１−４    堤防型貯水堤防の側部傾斜位置の傾斜ブロック
２−１    長城型及び反り返し型貯水堤防側面の垂直外壁ブロック
２−２    反り返し型貯水堤防側面の反り返し部上位の外壁ブロック
２−３    反り返し型貯水堤防側面の反り返し部下位の反り返しブロック
２−４    堤防型貯水堤防側面の外壁ブロック（傾斜ブロック）
２−５    堤防型貯水堤防側面の植生外壁ブロック
３        貯水ブロック間、貯水ブロックと貯水ブロック間を結束する装置のコネクター          （細部は図２１を参照）
４−１    貯水ブロック間、貯水ブロックと貯水ブロック間の鉄筋コンクリート
４−２    反り返し外壁の窪み部分へ流し込むコンクリート
５        貯水堤防天頂盤
６        貯水堤防設置基盤
７        貯水堤防外側地下部浸水防護壁
８        貯水堤防内側地下部浸水防護壁
９        貯水堤防地下設置の免震プレート
１０      １次コンクリート基盤
１１      栗石
１２−１  貯水堤防地下部支持パイル
１２−２  支持パイル破損防止パイルキャップ
１３      表層地盤
１４      安定地盤・岩盤
１５      地下水採水暗渠
１６      水中ポンプ
１７      地下水吸い上げパイプ
１８      高圧加圧ポンプ
１９      逆浸透膜装置
２０      細砕珊瑚濾過装置
２１      ナノバブル発生装置（高速大量処理装置）
２２    貯水堤防への送水パイプ
0005234475.tif 000022
【要約】      （修正有）【課題】建造中も堤防機能の一部を果たすことができ、工事期間も短くて済み、かつ堤防内に清浄な用水を貯水することを可能とする貯水型堤防を提供する。【解決手段】浸水防護壁７，８の間にコンクリートのパイル１２−１を地下の堅い地層まで複数打ち込み、パイル上部に免震パネル９を載せた堤防基盤６を設置する。堤防基盤６の上に、中空で２方向に開口した長方形の筒状の貯水ブロック１−１、外壁パネルブロック２−１を組み合わせて結束固定し、貯水ブロック１−１と貯水ブロック１−１、または外壁パネルブロック２−１との間に、コンクリートの骨材になる鉄骨を組み、貯水ブロック１−１、を型枠として、間に生コンクリートを流し込み、堤防内外部のコンクリート隔壁を形成し貯水堤防を構築する。貯水は地下水を所定の浄化処理を施し、清浄なミネラル水として蓄える。【選択図】図１【図１】
0005234475.tif 000023
【図２】
0005234475.tif 000024
【図３】
0005234475.tif 000025
【図４】
0005234475.tif 000026
【図５】
0005234475.tif 000027
【図６】
0005234475.tif 000028
【図７】
0005234475.tif 000029
【図８】
0005234475.tif 000030
【図９】
0005234475.tif 000031
【図１０】
0005234475.tif 000032
【図１１】
0005234475.tif 000033
【図１２】
0005234475.tif 000034
【図１３】
0005234475.tif 000035
【図１４】
0005234475.tif 000036
【図１５】
0005234475.tif 000037
【図１６】
0005234475.tif 000038
【図１７】
0005234475.tif 000039
【図１８】
0005234475.tif 000040
【図１９】
0005234475.tif 000041
【図２０】
0005234475.tif 000042
【図２１】
0005234475.tif 000043
【図２２】
0005234475.tif 000044
【図２３】
0005234475.tif 000045
【図２４】
0005234475.tif 000046
【図２５】
0005234475.tif 000047
【図２６】
0005234475.tif 000048
【図２７】
0005234475.tif 000049
【図２８】
0005234475.tif 000050
【図２９】
0005234475.tif 000051
【図３０】
0005234475.tif 000052
【図３１】
0005234475.tif 000053
【図３２】
0005234475.tif 000054